(57)【特許請求の範囲】
【請求項１】
自動現金取扱装置の監視カメラ装置において、
（ａ）被写体である利用者の画像を結像部に結像させる結像手段と、
（ｂ）該結像手段の前方に配設され、結像手段の画角を上側部分と下側部分とに分割し、上側部分に利用者の顔を撮影するための顔撮影領域を、下側部分に利用者の手元を撮影するための第１、第２の手元撮影領域を形成する撮影画角分割手段と、
（ｃ）該撮影画角分割手段の上縁に沿って配設された遮蔽板と、
（ｄ）前記利用者の画像の結像に伴う前記結像部の出力に基づいて、前記利用者の画像データを発生させる画像データ発生処理手段とを有するとともに、
（ｅ）前記撮影画角分割手段は、上縁を前記結像手段の光軸より下方に位置させて、境界線が前記光軸を通過するように、かつ、下方に凸面を形成するように配設された２枚の反射部材を備えることを特徴とする自動現金取扱装置の監視カメラ装置。
【発明の詳細な説明】
【０００１】
【発明の属する技術分野】
本発明は、自動現金取扱装置の監視カメラ装置に関するものである。
【０００２】
【従来の技術】
従来、金融機関等に自動現金処理機（ＡＴＭ）、無人契約端末等の自動現金取扱装置が配設され、該自動現金取扱装置を２４時間利用することができるようになっている。それに伴って、自動現金取扱装置の不正使用が増加している。そこで、金融機関等は、自動現金取扱装置を管理するに当たり、自動現金取扱装置に監視カメラ装置を配設し、該監視カメラ装置によって被写体としての利用者の動作を監視するようにしている。
【０００３】
【発明が解決しようとする課題】
しかしながら、前記従来の監視カメラ装置においては、顔用及び手元用の２台のカメラが別々に搭載されているので、コストが高くなるだけでなく、大型化してしまう。
【０００４】
そこで、１台のカメラを配設し、該カメラのレンズの前方の所定の箇所にミラーを配設することによって、前記レンズの画角を分割し、顔撮影領域及び手元撮影領域において顔及び手元をそれぞれ撮影することが考えられる。この場合、監視カメラ装置のコストを低くすることができ、監視カメラ装置を小型化することができる。
【０００５】
ところが、小型の自動現金取扱装置の場合、利用者が自動現金取扱装置の前に立った状態においては、前記利用者がかなりの長身であっても、顔を含む上半身を撮影することができるが、カード、紙幣等をカード挿入・取出口、紙幣挿入・取出口等に挿入したり、カード挿入・取出口、紙幣挿入・取出口等から取り出したりするために利用者が自動現金取扱装置側に乗り出すと、利用者の顔が顔撮影領域から外れ、顔を撮影することができなくなってしまう。したがって、利用者の動作を十分に監視することができなくなってしまう。
【０００６】
しかも、金融機関等としては、自動現金取扱装置の前に立った状態にある利用者の動作より、カード、紙幣等の挿入又は取出しのように、自動現金取扱装置側に乗り出した状態にある利用者の動作を監視することの方が重要である。
【０００７】
本発明は、前記従来の監視カメラ装置の問題点を解決して、被写体の動作を十分に監視することができる自動現金取扱装置の監視カメラ装置を提供することを目的とする。
【０００８】
【課題を解決するための手段】
そのために、本発明の自動現金取扱装置の監視カメラ装置においては、被写体である利用者の画像を結像部に結像させる結像手段と、該結像手段の前方に配設され、結像手段の画角を上側部分と下側部分とに分割し、上側部分に利用者の顔を撮影するための顔撮影領域を、下側部分に利用者の手元を撮影するための第１、第２の手元撮影領域を形成する撮影画角分割手段と、該撮影画角分割手段の上縁に沿って配設された遮蔽板と、前記利用者の画像の結像に伴う前記結像部の出力に基づいて、前記利用者の画像データを発生させる画像データ発生処理手段とを有する。
【０００９】
そして、前記撮影画角分割手段は、上縁を前記結像手段の光軸より下方に位置させて、境界線が前記光軸を通過するように、かつ、下方に凸面を形成するように配設された２枚の反射部材を備える。
【００１０】
【発明の実施の形態】
以下、本発明の実施の形態について図面を参照しながら詳細に説明する。
【００１１】
図１は本発明の第１の実施の形態における自動現金取扱装置を説明する側面図、図２は本発明の第１の実施の形態における自動現金取扱装置の正面図である。
【００１２】
図において、１０は自動現金取扱装置、１１は被写体としての利用者２１の顔及び手元を撮影するカメラ、１２はカメラ基板であり、前記カメラ１１は、図示されない結像部、及び前記利用者２１の顔及び手元の画像を結像部に結像させる結像手段としてのレンズ１３を備える。また、１４はレンズ１３の光軸を中心にして上下方向及び左右方向に回動自在に配設された撮影画角分割手段としてのミラー、１６はカード１７を挿入したり取り出したりするための第１の挿入・取出口としてのカード挿入・取出口、１８は紙幣１９を挿入したり取り出したりするための第２の挿入・取出口としての紙幣挿入・取出口、２０は表示手段及び入力手段としてのタッチパネル付ＣＲＴ、２５は背面確認ミラー、２６は手元撮影隠しミラー、２７は図示されない通帳を挿入したり取り出したりするための第３の挿入・取出口としての通帳挿入・取出口、２８は図示されない硬貨を挿入したり取り出したりするための第４の挿入・取出口としての硬貨挿入・取出口である。
【００１３】
利用者２１は、自動現金取扱装置１０の前に立ち、タッチパネル付ＣＲＴ２０の図示されないタッチパネルに表示されている取引内容を選択し、所定の箇所を指で押す。そして、例えば、紙幣１９が紙幣挿入・取出口１８から排出されると、利用者２１は自動現金取扱装置１０側に乗り出して紙幣１９を取り出す。この場合、自動現金取扱装置１０側に乗り出した状態にある利用者２１の顔を十分に撮影することができるように、あらかじめレンズ１３の取付角度が設定され、光軸が十分に上方に向けられる。
【００１４】
また、前記ミラー１４は、上端がレンズ１３の光軸より下方になるように、しかも、反射面を下方に向けて配設される。前記ミラー１４は上下方向に回動自在に配設され、ミラー１４を回動させることによって、ミラー１４の取付角度を調整することができる。前記ミラー１４は、反射部材としての、矩（く）形、かつ、平面状の形状を有する２枚のミラー１４ａ、１４ｂから成り、該ミラー１４ａ、１４ｂを凹形（下向きに凸型）に組み合わせることによって、ミラー１４の下方に凸面が形成される。
【００１５】
したがって、ミラー１４によってレンズ１３の画角が上側部分と下側部分とに分割され、上側部分に、利用者２１の顔を撮影するための顔撮影領域２３が、下側部分に、利用者２１の手元を撮影するための第１、第２の手元撮影領域２４、２９が左右に分割されて形成される。なお、前記第１、第２の手元撮影領域２４、２９においては、カード１７、紙幣１９、通帳、硬貨等も撮影される。
【００１６】
そして、前記顔撮影領域２３及び第１、第２の手元撮影領域２４、２９が形成されるのに伴って、レンズ１３の画角は三つの画角Ａ、Ｂ１、Ｂ２に分割される。なお、ミラー１４ａ、１４ｂを同じ寸法にした方が、ミラー１４の組立てが容易であり、その分、ミラー１４のコストを低くすることができる。
【００１７】
ところで、利用者２１の手元を撮影する場合、取引きの重要度に応じて、第１の手元撮影領域２４の画像を第２の手元撮影領域２９の画像より大きくすることが必要になることがある。その場合、ミラー１４を水平方向に回動させることによって、画角Ｂ１、Ｂ２のうちの画角Ｂ２を大きくし、第１の手元撮影領域２４の画像を大きくすることができる。なお、ミラー１４を回動させない場合、画角Ｂ１、Ｂ２は等しい。
【００１８】
このようにして、前記カメラ１１によって撮影された利用者２１の顔及び手元の画像は前記結像部に結像され、それに伴う結像部の出力に基づいて、図示されない画像データ発生処理手段は、前記利用者２１の顔及び手元の画像データを発生させる。該画像データは図示されない画像処理装置に送られ、該画像処理装置において画像処理が行われ、図示されないモニタに送られ、該モニタによって、モニタ画面にモニタ画像が表示される。
【００１９】
図３は本発明の第１の実施の形態におけるカメラの搭載状態を示す正面図、図４は本発明の第１の実施の形態におけるカメラの搭載状態を示す側面図である。
【００２０】
図において、１１はカメラ、１２はカメラ基板、１３はレンズ、１４はミラー、３０はカメラ取付フレーム、３１はカラー、３２は固定ねじであり、前記カメラ基板１２を固定ねじ３２によってカメラ取付フレーム３０に固定すると、カメラ基板１２に取り付けられたレンズ１３の光軸が固定される。すなわち、自動現金取扱装置１０（図２）に対するカメラ取付フレーム３０の取付状態によってレンズ１３の光軸が決定される。
【００２１】
前記カメラ取付フレーム３０の両縁には、一対のブラケット３０ａが前方（図４における左方）に向けて立ち上げて形成され、該ブラケット３０ａにおける上端近傍及び下端近傍に打出し３７、３８が突出させて形成される。
【００２２】
また、３３はミラー取付フレーム、３５はミラー貼（ちょう）付板、３６は、該ミラー貼付板３５の前面に、ミラー１４の上縁に沿って配設された帯状の第１の遮蔽（へい）板としての上遮蔽板であり、前記ミラー貼付板３５にミラー１４が接着剤によって貼付される。そのために、前記ミラー貼付板３５は、ミラー１４と同じ凹形の形状を有する。また、前記ミラー取付フレーム３３の両縁には、後方（図４における右方）に向けて一対の側壁部３３ｃが互いに平行に形成され、前記ミラー取付フレーム３３の下縁には、下方に向けて取付片３３ａ、３３ｂが突出させて形成される。そして、ミラー貼付板３５の前面の所定の位置に前記上遮蔽板３６を置き、固定ねじ４１、４３によって、前記上遮蔽板３６及びミラー貼付板３５をスペーサ３４ａ、３４ｂを介して取付片３３ａ、３３ｂに取り付けることにより、ミラー１４をカメラ取付フレーム３０に取り付けることができる。この場合、前記ミラー貼付板３５は、ミラー１４ａ、１４ｂの境界線がレンズ１３の光軸を通るようにミラー取付フレーム３３に取り付けられる。これによって、図２に示されるように、画角Ｂ２を画角Ｂ１より大きくすることができる。
【００２３】
また、前記側壁部３３ｃには、前記打出し３７、３８と対応させて溝８０、８１が形成される。したがって、前記打出し３７、３８と溝８０、８１とを所定の深さで係合させ、カメラ取付フレーム３０に対するミラー取付フレーム３３の角度を調整することによって、ミラー１４の取付角度を調整することができる。なお、３９、４０は、ミラー１４の取付角度を調整した後、ミラー取付フレーム３３をカメラ取付フレーム３０に対して固定するための調整取付ねじである。
【００２４】
また、前記レンズ１３よりわずかに下方において、三角形の形状を有する第２の遮蔽板としての下遮蔽板４２は遮蔽板固定ねじ４３によってカメラ取付フレーム３０に固定される。このとき、下遮蔽板４２は、先端が、ミラー１４ａ、１４ｂの境界線と同様に、レンズ１３の光軸を通るように固定される。
【００２５】
次に、前記構成の監視カメラ装置においてモニタ画面に表示されたモニタ画像について説明する。
【００２６】
図５は上遮蔽板及び下遮蔽板を備えない場合に形成される背景のモニタ画像の例を示す図、図６は本発明の第１の実施の形態における監視カメラ装置によって形成された背景のモニタ画像の例を示す図、図７は本発明の第１の実施の形態における監視カメラ装置によって形成された利用者のモニタ画像の例を示す第１の図、図８は本発明の第１の実施の形態における監視カメラ装置によって形成された利用者のモニタ画像の例を示す第２の図である。
【００２７】
図において、４４は顔撮影領域２３（図１）における画像、４５は第１の手元撮影領域２４における画像、４６は第２の手元撮影領域２９（図２）における画像、４７は紙幣挿入・取出口１８のシャッターが閉じられた状態を示す画像、４８はタッチパネル付ＣＲＴ２０の画像、４９は硬貨挿入・取出口２８のシャッターが閉じられた状態を示す画像、５０は自動現金取扱装置１０の筐（きょう）体の画像、５１は下遮蔽板４２（図３）による遮蔽影、５２は上遮蔽板３６による遮蔽影、５３は自動現金取扱装置１０の前に立った状態にある利用者２１の画像、５４は自動現金取扱装置１０側に乗り出した状態にある利用者２１の画像、５５は利用者２１の右手の画像、５９は紙幣１９の画像である。
【００２８】
ところで、上遮蔽板３６及び下遮蔽板４２を備えない場合、図５に示されるように、遮蔽影５１、５２が形成されない。この場合、背景の色と筐体の色とが同じであると、背景の画像と手元の画像とを区別するのが困難になるので、画像を目視する図示されない監視者に違和感を与えてしまう。これに対して、本実施の形態においては、上遮蔽板３６及び下遮蔽板４２が取り付けられるので、図６に示されるように、画像４４〜４６間の境界線が黒く撮影され、遮蔽影５１、５２が形成される。したがって、前記監視者に違和感を与えることがなくなる。
【００２９】
また、前述されたように、下遮蔽板４２の先端とミラー１４ａ、１４ｂの境界線とが合わせられ、かつ、レンズ１３の光軸の中心を通るよう設定されているので、遮蔽影５１の太さを均一にすることができる。なお、下遮蔽板４２の三角形の左右の辺の傾きを一定にしたまま底辺を長くすると、遮蔽影５１を太くすることができる。この場合、下遮蔽板４２は台形に近い形状を有する。
【００３０】
このように、本発明においては、一つのレンズ１３の画角を分割して利用者２１の顔及び手元を撮影するようにしているので、利用者２１の顔及び手元を高解像度で撮影することができるだけでなく、撮影された利用者２１の顔及び手元の画像に発生する歪（ひず）みを小さくすることができる。また、レンズ１３として画角の大きい魚眼レンズ等の超広角レンズを使用する必要がなく、通常のレンズを使用することができるので、監視カメラ装置のコストを低くすることができる。
【００３１】
そして、レンズ１３の光軸より下方にミラー１４が配設されるので、レンズ１３より上方に障害物がなくなる。したがって、顔撮影領域２３を十分に広く形成することができるので、利用者２１がカード１７、紙幣１９、通帳、硬貨等をカード挿入・取出口１６、紙幣挿入・取出口１８、通帳挿入・取出口２７、硬貨挿入・取出口２８等の各挿入・取出口に挿入したり、各挿入・取出口から取り出したりするときに、自動現金取扱装置１０側に乗り出しても、利用者２１の顔が顔撮影領域２３から外れることがなく、利用者２１の顔を確実に撮影することができる。その結果、利用者２１の動作を十分に監視することができる。
【００３２】
そして、前記ミラー１４は、２枚の平面状のミラー１４ａ、１４ｂを凹形に組み合わせることによって形成されるので、利用者２１の顔及び手元の画像の位置を互いに対応させることができる。したがって、前記監視者に違和感を与えることがない。
【００３３】
また、前記スペーサ３４ａ、３４ｂの厚さを変える等によってミラー１４を水平方向に回動させることにより、画角Ｂ２を画角Ｂ１より大きくし、画像４５を画像４６より大きくすることができる。したがって、大きさの異なるミラーを使用する必要がなくなるので、監視カメラ装置のコストを低くすることができる。
【００３４】
ところで、本実施の形態において、ミラー１４はガラス製であるので、薄くすると破損しやすい。したがって、ある程度の厚さを有するミラー１４が必要となるが、ミラー１４が厚くなると、図６に示される、遮蔽影５２が太くなり、レンズ１３の画角Ａ、Ｂ１、Ｂ２がその分小さくなり、顔撮影領域２３及び第１、第２の撮影領域２４、２９が狭くなってしまう。
【００３５】
そこで、画角Ａ、Ｂ１、Ｂ２を大きくすることができ、顔撮影領域２３及び第１、第２の撮影領域２４、２９を広くすることができるようにした本発明の第２の実施の形態について説明する。
【００３６】
図９は本発明の第２の実施の形態におけるミラーを示す斜視図である。
【００３７】
図において、１４はミラーであり、該ミラー１４は、プラスチック層５７の一方の面に、アルミメッキ層５６をコーティングすることにより鏡面処理を施し、他方の面に粘着テープ層５８を接着することによって形成される。したがって、ミラー１４を極めて薄くすることができ、しかも、ミラー１４が割れて破損することがない。また、粘着テープ層５８によって接着剤を使用することなく、ミラー１４をミラー貼付板３５（図４）に貼付することができるので、ミラー１４の組立ての作業性を向上させることができる。
【００３８】
次に、本発明の第３の実施の形態について説明する。なお、第１の実施の形態と同じ構造を有するものについては、同じ符号を付与することによってその説明を省略する。
【００３９】
図１０は本発明の第３の実施の形態におけるミラーの取付状態を示す斜視図、図１１は本発明の第３の実施の形態におけるミラーの取付状態を示す側面図、図１２は図１０のＸ−Ｘ断面図、図１３は本発明の第３の実施の形態における監視カメラ装置によって形成された背景のモニタ画像の例を示す図である。
【００４０】
図において、５９はミラー貼付板３５の裏面に配設された撮影画角分割手段としての１枚の凸面ミラーである。該凸面ミラー５９は、図示されない凸状の形状を有するプラスチック層の一方の面に、図示されないアルミメッキ層をコーティングすることにより鏡面処理を施し、他方の面に図示されない粘着テープ層を接着することによって形成され、該粘着テープ層を介してミラー貼付板３５に貼付される。なお、前記凸面ミラー５９によって、下方に凸面を形成する反射部材が構成される。
【００４１】
前記構成の凸面ミラー５９を備えた監視カメラ装置においては、カメラ１１（図４）によって背景を撮影すると、図１３に示されるようなモニタ画像が形成される。この場合、凸面ミラー５９は１枚のミラーによって形成されるので、手元撮影領域６１は分割されない。したがって、監視者は、画像４７、４８、４９等の全体を目視することができる。
【００４２】
なお、前記凸面ミラー５９は、平面状のミラー１４ａ（図２）、１４ｂを凹形に組み合わせることによって形成されたミラー１４より広角であるので、画角Ｂ１、Ｂ２を分割する必要はない。したがって、下遮蔽板を配設する必要はない。
【００４３】
なお、本発明は前記実施の形態に限定されるものではなく、本発明の趣旨に基づいて種々変形させることが可能であり、それらを本発明の範囲から排除するものではない。
【００４４】
【発明の効果】
以上詳細に説明したように、本発明によれば、自動現金取扱装置の監視カメラ装置においては、被写体である利用者の画像を結像部に結像させる結像手段と、該結像手段の前方に配設され、結像手段の画角を上側部分と下側部分とに分割し、上側部分に利用者の顔を撮影するための顔撮影領域を、下側部分に利用者の手元を撮影するための第１、第２の手元撮影領域を形成する撮影画角分割手段と、該撮影画角分割手段の上縁に沿って配設された遮蔽板と、前記利用者の画像の結像に伴う前記結像部の出力に基づいて、前記利用者の画像データを発生させる画像データ発生処理手段とを有する。
【００４５】
そして、前記撮影画角分割手段は、上縁を前記結像手段の光軸より下方に位置させて、境界線が前記光軸を通過するように、かつ、下方に凸面を形成するように配設された２枚の反射部材を備える。
【００４６】
この場合、撮影画角分割手段は、上縁を前記結像手段の光軸より下方に位置させて、境界線が前記光軸を通過するように、かつ、下方に凸面を形成するように配設された２枚の反射部材を備える。したがって、撮影画角分割手段によって結像手段の画角が上側部分と下側部分とに分割され、上側部分に利用者の顔を撮影するための顔撮影領域が、下側部分に利用者の手元を撮影するための第１、第２の手元撮影領域が形成される。
【００４７】
そして、顔を撮影するための撮影領域を十分に広く形成することができるので、利用者が自動現金取扱装置側に乗り出しても、利用者の顔が撮影領域から外れることがなくなり、利用者の顔を確実に撮影することができる。その結果、利用者の動作を十分に監視することができる。
【図面の簡単な説明】
【図１】本発明の第１の実施の形態における自動現金取扱装置を説明する側面図である。
【図２】本発明の第１の実施の形態における自動現金取扱装置の正面図である。
【図３】本発明の第１の実施の形態におけるカメラの搭載状態を示す正面図である。
【図４】本発明の第１の実施の形態におけるカメラの搭載状態を示す側面図である。
【図５】上遮蔽板及び下遮蔽板を備えない場合に形成される背景のモニタ画像の例を示す図である。
【図６】本発明の第１の実施の形態における監視カメラ装置によって形成された背景のモニタ画像の例を示す図である。
【図７】本発明の第１の実施の形態における監視カメラ装置によって形成された利用者のモニタ画像の例を示す第１の図である。
【図８】本発明の第１の実施の形態における監視カメラ装置によって形成された利用者のモニタ画像の例を示す第２の図である。
【図９】本発明の第２の実施の形態におけるミラーを示す斜視図である。
【図１０】本発明の第３の実施の形態におけるミラーの取付状態を示す斜視図である。
【図１１】本発明の第３の実施の形態におけるミラーの取付状態を示す側面図である。
【図１２】図１０のＸ−Ｘ断面図である。
【図１３】本発明の第３の実施の形態における監視カメラ装置によって形成された背景のモニタ画像の例を示す図である。
【符号の説明】
１３    レンズ
１４、１４ａ、１４ｂ    ミラー
２１    利用者
２３    顔撮影領域
２４、２９    第１、第２の手元撮影領域
３６    上遮蔽板
５７    プラスチック層
５９    凸面ミラー
６１    手元撮影領域
Ａ、Ｂ１、Ｂ２    画角
【図１】
0004341174.tif 000002
【図２】
0004341174.tif 000003
【図３】
0004341174.tif 000004
【図４】
0004341174.tif 000005
【図５】
0004341174.tif 000006
【図６】
0004341174.tif 000007
【図７】
0004341174.tif 000008
【図８】
0004341174.tif 000009
【図９】
0004341174.tif 000010
【図１０】
0004341174.tif 000011
【図１１】
0004341174.tif 000012
【図１２】
0004341174.tif 000013
【図１３】
0004341174.tif 000014